(57)【特許請求の範囲】
【請求項１】
ホログラム映像を再生することが可能なホログラム再生部と、
コンサートやミュージカルなどの公演が可能なステージとを含んでなり、
前記ステージは前後に移動できるようにして、一般公演およびホログラム映像を利用した公演が両方ともできるようにして、
前記ホログラム再生部は、ホログラム映像を放出する映写部と、底面に設置され、前記映写部から放出されるホログラム映像を上方に反射する反射部と、前記反射部から反射されるホログラム映像をステージの前方に反射するホイル部とを含み、
前記ホイル部は、底面から上方に行くほどステージの前方に一定の角度で傾くように設けられ、前記ホイル部に反射されたホログラム映像がステージ前方の観客を向かうようにして、
前記ホログラム再生部は前記ホイル部を上下に移動させるホイル移動部を含むことにより、前記ホログラム再生部を使用しない場合には前記ホイル部を上方に移動させることができるようにして、
前記ホイル部は、前記反射部から反射されるホログラム映像をステージの前方に反射するホイルと、前記ホイルの外側を囲むように設けられ、前記ホイルを張り詰めた状態に支持するホイルフレームとを含むことにより、前記ホイルが常に張り詰めた状態を維持することができるようにして、
前記ホイル移動部は、前記ホイル部の移動をガイドするガイド部と、前記ホイル部を移動させる駆動力を提供する駆動部とを含み、
前記ガイド部は、
底面と天井に支持されて上下に設けられる一対の支持フレームと、前記支持フレームに固定され、前記ホイル部の移動経路に沿って設けられる一対のガイドレールとを含み、
前記ホイルフレームは、外側に突出するように設けられて前記ガイドレールに沿って移動するガイドローラーを含み、
前記ガイドレールは、底面から一定の地点まで上方に行くほどステージの前方に一定の角度で傾くように設けられ、前記ホログラム再生部の使用の際に前記ホイル部が底面から上方に行くほどステージの前方に一定の角度で傾いた状態となるようにすることを特徴とする、ホログラム再生が可能な劇場システム。
【請求項２】
前記ホイル部は、前記ホイルと前記ホイルフレームとの間に設置され、前記ホイルを引っ張ることが可能な張力調節手段を含むことを特徴とする、請求項１に記載のホログラム再生が可能な劇場システム。
【請求項３】
前記張力調節手段は、前記ホイルを固定する固定バーと、前記固定バーと前記ホイルフレームとを連結する連結ストラップと、前記連結ストラップ上に設けられ、前記連結ストラップが前記固定バーを引いた状態で固定されるようにするロック装置とを含むことを特徴とする、請求項２に記載のホログラム再生が可能な劇場システム。
【請求項４】
前記駆動部は、前記ホイルフレームの上端に連結される駆動ワイヤーと、天井に設置され、前記駆動ワイヤーを巻き取ったり繰り出したりすることが可能な駆動モーターとを含むことを特徴とする、請求項１から３のいずれか１項に記載のホログラム再生が可能な劇場システム。
【請求項５】
前記ガイド部は、前記支持フレームの一地点に左右方向に設けられて前記駆動ワイヤーの回動を制限する回動制限部材を含むことを特徴とする、請求項４に記載のホログラム再生が可能な劇場システム。
【請求項６】
前記反射部は、
底面に設けられ、前記映写部から放出されるホログラム映像を前記ホイル部に反射する反射部材と、前記反射部材を回転させて巻き取れるようにする反射部材ローリング装置とを含むことを特徴とする、請求項１から５のいずれか１項に記載のホログラム再生が可能な劇場システム。
【請求項７】
前記劇場システムは、
ステージの後方に設けられる後方スクリーン、およびステージの前方に設けられる前方スクリーンを含み、
前記前方スクリーンおよび前記後方スクリーンは上下に移動できるように設けられ、
前記後方スクリーンは前記ホログラム再生部の使用の際にステージに降りてくるようにすることを特徴とする、請求項１から６のいずれか１項に記載のホログラム再生が可能な劇場システム。
【請求項８】
前記前方スクリーンは、一般映像の上映時に下方に降りてくるようにして劇場、映像講義などを上映することができるようにすることを特徴とする、請求項７に記載のホログラム再生が可能な劇場システム。
【請求項９】
ホログラム映像を再生することが可能なホログラム再生部と、
コンサートやミュージカルなどの公演が可能なステージとを含んでなり、
前記ステージは前後に移動できるようにして、一般公演およびホログラム映像を利用した公演が両方ともできるようにして、
前記ホログラム再生部は、ホログラム映像を放出する映写部と、底面に設置され、前記映写部から放出されるホログラム映像を上方に反射する反射部と、前記反射部から反射されるホログラム映像をステージの前方に反射するホイル部とを含み、
前記ホイル部は、底面から上方に行くほどステージの前方に一定の角度で傾くように設けられ、前記ホイル部に反射されたホログラム映像がステージ前方の観客を向かうようにして、
前記ホログラム再生部は前記ホイル部を上下に移動させるホイル移動部を含むことにより、前記ホログラム再生部を使用しない場合には前記ホイル部を上方に移動させることができるようにして、
前記ホイル部は、前記反射部から反射されるホログラム映像をステージの前方に反射するホイルと、前記ホイルの外側を囲むように設けられ、前記ホイルを張り詰めた状態に支持するホイルフレームとを含むことにより、前記ホイルが常に張り詰めた状態を維持することができるようにして、
前記ホイル部は、前記ホイルと前記ホイルフレームとの間に設置され、前記ホイルを引っ張ることが可能な張力調節手段を含み、
前記張力調節手段は、前記ホイルを固定する固定バーと、前記固定バーと前記ホイルフレームとを連結する連結ストラップと、前記連結ストラップ上に設けられ、前記連結ストラップが前記固定バーを引いた状態で固定されるようにするロック装置とを含むことを特徴とする、ホログラム再生が可能な劇場システム。
【請求項１０】
ホログラム映像を再生することが可能なホログラム再生部と、
コンサートやミュージカルなどの公演が可能なステージとを含んでなり、
前記ステージは前後に移動できるようにして、一般公演およびホログラム映像を利用した公演が両方ともできるようにして、
前記ホログラム再生部は、ホログラム映像を放出する映写部と、底面に設置され、前記映写部から放出されるホログラム映像を上方に反射する反射部と、前記反射部から反射されるホログラム映像をステージの前方に反射するホイル部とを含み、
前記ホイル部は、底面から上方に行くほどステージの前方に一定の角度で傾くように設けられ、前記ホイル部に反射されたホログラム映像がステージ前方の観客を向かうようにして、
前記ホログラム再生部は前記ホイル部を上下に移動させるホイル移動部を含むことにより、前記ホログラム再生部を使用しない場合には前記ホイル部を上方に移動させることができるようにして、
前記ホイル部は、前記反射部から反射されるホログラム映像をステージの前方に反射するホイルと、前記ホイルの外側を囲むように設けられ、前記ホイルを張り詰めた状態に支持するホイルフレームとを含むことにより、前記ホイルが常に張り詰めた状態を維持することができるようにして、
前記ホイル移動部は、前記ホイル部の移動をガイドするガイド部と、前記ホイル部を移動させる駆動力を提供する駆動部とを含み、
前記ガイド部は、
底面と天井に支持されて上下に設けられる一対の支持フレームと、前記支持フレームに固定され、前記ホイル部の移動経路に沿って設けられる一対のガイドレールとを含み、
前記ホイルフレームは、外側に突出するように設けられて前記ガイドレールに沿って移動するガイドローラーを含み、
前記駆動部は、前記ホイルフレームの上端に連結される駆動ワイヤーと、天井に設置され、前記駆動ワイヤーを巻き取ったり繰り出したりすることが可能な駆動モーターとを含み、
前記ガイド部は、前記支持フレームの一地点に左右方向に設けられて前記駆動ワイヤーの回動を制限する回動制限部材を含むことを特徴とする、ホログラム再生が可能な劇場システム。
【発明の詳細な説明】
【技術分野】
【０００１】
本発明は、ホログラム再生が可能な劇場システムに係り、さらに詳しくは、ホログラム映像を再生することが可能なホログラム再生部と、コンサートやミュージカルなどの公演が可能なステージとを含んでなり、ステージは前後に移動できるようにして、一般公演会場と同じサイズにおいても一般公演およびホログラム映像を利用した公演の両方ができるようにし、ホログラム再生部は、ホログラム映像を放出する映写部と、底面に設置され、映写装置から放出される映像を上部に反射し、巻き取れる反射部材を含む反射部と、反射部材から反射されるホログラム映像をステージの前方に反射し、上下に移動できるホイル部とを含んで、一般公演およびホログラム映像を利用した公演に伴うステージ形態の変更を容易にし、ホイル部は、反射部から反射されるホログラム映像をステージの前方に反射するホイルと、ホイルの外側を囲むように設けられ、ホイルを張り詰めた状態に支持するホイルフレームとを含んで、ホイルが上下移動中にも常に張り詰めた状態を維持することができるようにすることにより、ホイルに異物やキズなどが発生したり引張力が低下したりして張り詰めた状態を維持することができなくなることを防止することができる、ホログラム再生が可能な劇場システムに関する。
【背景技術】
【０００２】
最近、３次元映像および映像再生技術に関する研究が盛んに行われているが、これは視覚情報のレベルを一次元高める新しい概念のリアル映像メディアであって、次世代ディスプレイを主導すると予想されている。さらに、３次元映像は、２次元映像よりもリアル感があるうえ、自然で、人間が感じる現実に近いため、その需要が増加している。
【０００３】
３次元映像再生技術は、観測者が平面イメージではなく立体感およびリアル感のある３次元立体映像を感じることができるように立体映像を表示する技術であり、現在３次元立体映像を再生するための方法には、ステレオスコピー（Ｓｔｅｒｅｏｓｃｏｐｙ）、ホログラフィー（Ｈｏｌｏｇｒａｐｈｙ）、インテグラルイメージング（Ｉｎｔｅｇｒａｌ  Ｉｍａｇｉｎｇ）方式などの様々な技術が研究開発されている。
【０００４】
ホログラフィー方式は、光の干渉性を用いて対象を立体的に記録（撮影）し、立体的なホログラム映像として再生する。再生されたホログラム映像が光の干渉性によって距離と深さが区分されることにより、ユーザーは映像を従来の映像よりもさらにリアルに鑑賞することができる。よって、最近、このようなホログラフィー方式がコンサートやミュージカルなどの公演に広く活用されている。
【０００５】
従来のホログラム映像を利用してコンサートやミュージカルなどの公演をするためのシステム１００は、図１に示すように（下記特許文献１を参照）、ステージの天井にプロジェクター１１０が設置され、前記プロジェクター１１０の前方には一定の角度で傾斜したミラー１２０が備えられる。前記プロジェクター１１０から放出されたホログラム映像は、前記ミラー１２０によって反射されてステージの床の反射板１３０によって反射され、透明ホイル１４０によって観客側へ進むことにより、観客は３次元のホログラム映像を見ることができる。
【０００６】
しかし、従来のホログラム映像を利用した公演システム１００は、ホログラム映像を再生するために、前記反射板１３０、透明ホイル１４０などの装備の取り付けおよび取り外しを繰り返さなければならず、ステージで公演をする人は、前記反射板１３０を踏めばならないので、正常な公演を行うことができなかった。特に、前記透明ホイル１４０は、ホログラム映像が投射されて観客が見られるようにする構成であって、ぴんと張り詰めた状態が維持されなければならず、異物やキズが生じる場合にはホログラム映像が正常的に投影されないため、非正常な映像が見えるようになる。それにも拘らず、従来のシステム１００は、前記透明ホイル１４０を巻き取ったり折り畳んだりする形で除去するようにして、前記透明ホイル１４０に異物やキズが発生しやすく、その引張力が減少して張り詰めた状態を維持することができなくなるという問題があった。
【０００７】
したがって、常に透明ホイルがぴんと張り詰めた状態を維持するようにしながらも、コンサートやミュージカルなどの一般公演およびホログラムを利用したコンサートやミュージカルなどの公演を可能とし、透明ホイルやステージ、反射板などのいずれの移動も可能にして容易にステージ形態を変更することができるようにする公演会場システムの導入が求められる状況であり、ホログラム映像を利用した公演の市場拡大に伴ってその必要性はさらに増加している。
【先行技術文献】
【特許文献】
【０００８】
【特許文献１】大韓民国登録特許第１０−０２５８０２８号公報
【発明の概要】
【発明が解決しようとする課題】
【０００９】
本発明は、かかる問題点を解決するために案出されたもので、その目的は、ホログラム映像を再生することが可能なホログラム再生部と、コンサートやミュージカルなどの公演が可能なステージとを含んでなり、ステージは前後に移動できるようにして、一般公演会場と同じサイズにおいても一般公演およびホログラム映像を利用した公演の両方ができるようにし、一般公演およびホログラム映像を利用した公演に伴うステージ形態の変更を容易にする、ホログラム再生が可能な劇場システムを提供することにある。
【００１０】
本発明の他の目的は、ホログラム映像を放出する映写部と、底面に設置され、映写装置から放出される映像を上方に反射する反射部と、反射部から反射されるホログラム映像をステージの前方に反射するホイル部とを含むホログラム再生部を含むことにより、観客側に向かったホログラム映像の再生が円滑に行われるようにする、ホログラム再生が可能な劇場システムを提供することにある。
【００１１】
本発明の別の目的は、底面から上方に行くほど、ステージの前方に一定の角度で傾くように設けられるホイル部を含み、ホイル部に向かう光のうち、一部の光はステージの前方に反射され、一部の光はステージの後方に透過するようにすることにより、ホログラムの再生とホイルの後ろのステージでの公演を同時に行えるようにする、ホログラム再生が可能な劇場システムを提供することにある。
【００１２】
本発明の別の目的は、ホイル部を上下に移動させるホイル移動部を含んで、ホログラム再生部を使用しない場合にはホイル部を上方に移動させることができるようにすることにより、ステージを前方に移動させ、ホイル部を上方に上げて容易にミュージカルやコンサートなどの一般公演を行えるようにする、ホログラム再生が可能な劇場システムを提供することにある。
【００１３】
本発明の別の目的は、反射部から反射されるホログラム映像をステージの前方に反射するホイルと、ホイルの外側を囲むように設けられ、ホイルを張り詰めた状態に支持するホイルフレームを含むホイル部とを含んで、ホイルが上下移動中にも常に張り詰めた状態を維持することができるようにすることにより、ホイルに異物やキズなどが発生したり引張力が低下したりして張り詰めた状態を維持することができなくなることを防止することができる、ホログラム再生が可能な劇場システムを提供することにある。
【００１４】
本発明の別の目的は、ホイルとホイルフレームとの間に設置され、ホイルを引っ張ることが可能な張力調節手段を含むことにより、持続的な使用または周辺環境によってホイルが弛む場合でもホイルを引っ張って張り詰めた状態を維持することができるようにする、ホログラム再生が可能な劇場システムを提供することにある。
【００１５】
本発明の別の目的は、ホイルを固定する固定バーと、固定バーとホイルフレームとを連結する連結ストラップと、連結ストラップ上に設けられ、連結ストラップが固定バーを引いた状態で固定されるようにするロック装置とを含む張力調節手段を含んで、ロック装置を引くことにより容易にホイルを引っ張ることができるようにする、ホログラム再生が可能な劇場システムを提供することにある。
【００１６】
本発明の別の目的は、ホイル部の移動をガイドするガイド部と、ホイル部を移動させる駆動力を提供する駆動部とを含むホイル移動部を含んで、ホイル部の移動が安定且つ容易に行われるようにすることにより、ホイルの損傷を防止し且つ作業の容易性を向上させることができるようにする、ホログラム再生が可能な劇場システムを提供することにある。
【００１７】
本発明の別の目的は、底面と天井に支持されて上下に設けられる一対の支持フレームと、支持フレームに固定され、ホイル部の移動経路に沿って設けられる一対のガイドレールとを含むガイド部を含み、ホイルフレームは外側に突出するように設けられてガイドレールに沿って移動するガイドローラーを含むことにより、ホイルフレームがガイドレールに沿って安定的に移動できるようにする、ホログラム再生が可能な劇場システムを提供することにある。
【００１８】
本発明の別の目的は、底面から一定の地点まで上方に行くほどステージの前方に一定の角度で傾くように設けられるガイドレールを含んで、ホログラム再生部の使用の際にホイル部が底面から上方に行くほどステージの前方に一定の角度で傾いた状態となるようにすることにより、別途の装置を使用しなくても、ホログラムの再生およびホイルの後ろのステージでの公演を同時に行うことが可能なステージ形態となるようにする、ホログラム再生が可能な劇場システムを提供することにある。
【００１９】
本発明の別の目的は、ホイルフレームの上端に連結される駆動ワイヤーと、天井に設置され、前記駆動ワイヤーを巻き取ったり繰り出したりすることが可能な駆動モーターを含む駆動部を含むことにより、ホイル部の移動が容易に行われるようにする、ホログラム再生が可能な劇場システムを提供することにある。
【００２０】
本発明の別の目的は、支持フレームの一地点に左右方向に設けられて駆動ワイヤーの回動を制限する回動制限部材を含むガイド部を含むことにより、ホイルフレームがガイドレールに沿って下方に移動して傾いた状態で底面に装着される過程で、駆動ワイヤーが前方側に外れて支持フレームなどの他の構造物とぶつかることを防止する、ホログラム再生が可能な劇場システムを提供することにある。
【００２１】
本発明の別の目的は、底面に設けられ、映写部から放出されるホログラム映像をホイル部に反射する反射部材と、反射部材を回転させて巻き取れるようにする反射部材ローリング装置とを含む反射部を含むことにより、反射部材がステージでの公演に影響を与えないようにし、ホログラム再生部を使用しない場合には反射部材との接触なしにステージを前方に移動させることができるようにして広いステージを確保することができるようにする、ホログラム再生が可能な劇場システムを提供することにある。
【００２２】
本発明の別の目的は、ステージの後方に設けられる後方スクリーン、およびステージの前方に設けられる前方スクリーンを含み、前方スクリーンおよび後方スクリーンは上下に移動できるようにし、後方スクリーンはホログラム再生部の使用の際にステージに降りてくるようにしてホログラムの再生およびステージでの公演を同時に行えるようにする、ホログラム再生が可能な劇場システムを提供することにある。
【００２３】
本発明の別の目的は、一般映像の上映時に下方に降りてくるようにする前方スクリーンを含んで、劇場や映像講義などを上映することができるようにすることにより、多目的に使用できるようにして収益を極大化することができるようにする、ホログラム再生が可能な劇場システムを提供することにある。
【課題を解決するための手段】
【００２４】
本発明は、上記目的を達成するために次の構成を持つ実施形態によって実現される。
本発明の一実施形態によれば、本発明に係るホログラム再生が可能な劇場システムは、ホログラム映像を再生することが可能なホログラム再生部と、コンサートやミュージカルなどの公演が可能なステージとを含み、前記ステージは前後に移動できるようにして、一般公演およびホログラム映像を利用した公演が両方ともできるようにすることを特徴とする。
【００２５】
本発明の他の実施形態によれば、本発明に係るホログラム再生が可能な劇場システムにおいて、前記ホログラム再生部は、ホログラム映像を放出する映写部と、底面に設置され、前記映写部から放出されるホログラム映像を上方に反射する反射部と、前記反射部から反射されるホログラム映像をステージの前方に反射するホイル部とを含むことを特徴とする。
【００２６】
本発明の別の実施形態によれば、本発明に係るホログラム再生が可能な劇場システムにおいて、前記ホイル部は、底面から上方に行くほどステージの前方に一定の角度で傾くように設けられ、前記ホイル部に反射されたホログラム映像がステージ前方の観客を向かうようにすることを特徴とする。
【００２７】
本発明の別の実施形態によれば、本発明に係るホログラム再生が可能な劇場システムにおいて、前記ホログラム再生部は前記ホイル部を上下に移動させるホイル移動部を含むことにより、前記ホログラム再生部を使用しない場合には前記ホイル部を上方に移動させることができるようにすることを特徴とする。
【００２８】
本発明の別の実施形態によれば、本発明に係るホログラム再生が可能な劇場システムにおいて、前記ホイル部は、前記反射部から反射されるホログラム映像をステージの前方に反射するホイルと、前記ホイルの外側を囲むように設けられ、前記ホイルを張り詰めた状態に支持するホイルフレームとを含むことにより、前記ホイルが常に張り詰めた状態を維持することができるようにすることを特徴とする。
【００２９】
本発明の別の実施形態によれば、本発明に係るホログラム再生が可能な劇場システムにおいて、前記ホイル部は、前記ホイルと前記ホイルフレームとの間に設置され、前記ホイルを引っ張ることが可能な張力調節手段を含むことを特徴とする。
【００３０】
本発明の別の実施形態によれば、本発明に係るホログラム再生が可能な劇場システムにおいて、前記張力調整手段は、前記ホイルを固定する固定バーと、前記固定バーと前記ホイルフレームとを連結する連結ストラップと、前記連結ストラップ上に設けられ、前記連結ストラップが固定バーを引いた状態で固定されるようにするロック装置とを含むことを特徴とする。
【００３１】
本発明の別の実施形態によれば、本発明に係るホログラム再生が可能な劇場システムにおいて、前記ホイル移動部は、前記ホイル部の移動をガイドするガイド部と、前記ホイル部を移動させる駆動力を提供する駆動部とを含むことを特徴とする。
【００３２】
本発明の別の実施形態によれば、本発明に係るホログラム再生が可能な劇場システムにおいて、前記ガイド部は、底面と天井に支持されて上下に設けられる一対の支持フレームと、前記支持フレームに固定され、前記ホイル部の移動経路に沿って設けられる一対のガイドレールとを含み、前記ホイルフレームは、外側に突出するように設けられて前記ガイドレールに沿って移動するガイドローラーを含むことを特徴とする。
【００３３】
本発明の別の実施形態によれば、本発明に係るホログラム再生が可能な劇場システムにおいて、前記ガイドレールは、底面から一定の地点まで上方に行くほどステージの前方に一定の角度で傾くように設けられ、前記ホログラム再生部の使用の際に前記ホイル部が底面から上方に行くほどステージの前方に一定の角度で傾いた状態となるようにすることを特徴とする。
【００３４】
本発明の別の実施形態によれば、本発明に係るホログラム再生が可能な劇場システムにおいて、前記駆動部は、前記ホイルフレームの上端に連結される駆動ワイヤーと、天井に設置され、前記駆動ワイヤーを巻き取ったり繰り出したりすることが可能な駆動モーターとを含むことを特徴とする。
【００３５】
本発明の別の実施形態によれば、本発明に係るホログラム再生が可能な劇場システムにおいて、前記ガイド部は、前記支持フレームの一地点に左右方向に設けられて前記駆動ワイヤーの回動を制限する回動制限部材を含むことを特徴とする。
【００３６】
本発明の別の実施形態によれば、本発明に係るホログラム再生が可能な劇場システムにおいて、前記反射部は、底面に設けられ、前記映写部から放出されるホログラム映像を前記ホイル部に反射する反射部材と、前記反射部材を回転させて巻き取れるようにする反射部材ローリング装置とを含むことを特徴とする。
【００３７】
本発明の別の実施形態によれば、本発明に係るホログラム再生が可能な劇場システムは、ステージの後方に設けられる後方スクリーン、およびステージの前方に設けられる前方スクリーンを含み、前記前方スクリーンおよび後方スクリーンは上下に移動できるように設けられ、前記後方スクリーンは前記ホログラム再生部の使用の際にステージに降りてくるようにすることを特徴とする。
【００３８】
本発明の別の実施形態によれば、本発明に係るホログラム再生が可能な劇場システムにおいて、前記前方スクリーンは、一般映像の上映時に下方に降りてくるようにして劇場や映像講義などを上映することができるようにすることを特徴とする。
【発明の効果】
【００３９】
本発明は、前述した実施形態および以下に説明する構成、組み合わせ、使用関係によって次の効果を得ることができる。
【００４０】
本発明は、ホログラム映像を再生することが可能なホログラム再生部と、コンサートやミュージカルなどの公演が可能なステージとを含み、ステージは前後に移動できるようにして、一般公演会場と同じサイズにおいても一般公演およびホログラム映像を利用した公演を両方とも可能とし、一般公演およびホログラム映像を利用した公演に伴うステージ形態の変更を容易にするという効果がある。
【００４１】
本発明は、ホログラム映像を放出する映写部と、底面に設置され、映写装置から放出される映像を上方に反射する反射部と、反射部から反射されるホログラム映像をステージの前方に反射するホイル部とを含むホログラム再生部を含むことにより、観客側に向かったホログラム映像の再生が円滑に行われるようにするという効果がある。
【００４２】
本発明は、底面から上方に行くほどステージの前方に一定の角度で傾くように設けられるホイル部を含み、ホイル部に向かう光のうち、一部はステージの前方に反射され、一部はステージの後方に透過するようにすることにより、ホログラムの再生とホイルの後ろのステージでの公演を同時に行えるようにするという効果がある。
【００４３】
本発明は、ホイル部を上下に移動させるホイル移動部を含み、ホログラム再生部を使用しない場合にはホイル部を上方に移動させることができるようにすることにより、ステージを前方に移動させ、ホイル部を上方に上げて容易にミュージカルやコンサートなどの一般公演を行えるようにするという効果がある。
【００４４】
本発明は、反射部から反射されるホログラム映像をステージの前方に反射するホイルと、ホイルの外側を囲むように設けられ、ホイルを張り詰めた状態に支持するホイルフレームとを含むホイル部を含んで、ホイルが上下移動中にも常に張り詰めた状態を維持することができるようにすることにより、ホイルに異物やキズなどが発生したり引張力が低下したりして張り詰めた状態を維持することができなくなることを防止することができるという効果がある。
【００４５】
本発明は、ホイルとホイルフレームとの間に設置され、ホイルを引っ張ることが可能な張力調節手段を含むことにより、持続的な使用または周辺環境によってホイルが弛む場合でもホイルを引いて張り詰めた状態を維持することができるようにするという効果がある。
【００４６】
本発明は、ホイルを固定する固定バーと、固定バーとホイルフレームとを連結する連結ストラップと、連結ストラップ上に設けられ、連結ストラップが固定バーを引いた状態で固定されるようにするロック装置とを含む張力調節手段を含んで、ロック装置を引くことにより、容易にホイルを引っ張ることができるようにするという効果がある。
【００４７】
本発明は、ホイル部の移動をガイドするガイド部と、ホイル部を移動させる駆動力を提供する駆動部とを含むホイル移動部を含んで、ホイル部の移動が安定かつ容易に行われるようにすることにより、ホイルの損傷を防止し且つ作業の容易性を向上させることができるようにするという効果がある。
【００４８】
本発明は、底面と天井に支持されて上下に設けられる一対の支持フレームと、支持フレームに固定されてホイル部の移動経路に沿って設けられる一対のガイドレールとを含むガイド部を含み、ホイルフレームは外側に突出するように設けられてガイドレールに沿って移動するガイドローラーを含むことにより、ホイルフレームがガイドレールに沿って安定的に移動できるようにするという効果がある。
【００４９】
本発明は、底面から一定地点まで上方に行くほどステージの前方に一定の角度で傾くように設けられるガイドレールを含んで、ホログラム再生部の使用の際にホイル部が底面から上方に行くほどステージの前方に一定の角度で傾いた状態となるようにすることにより、別途の装置を使用することなく、ホログラムの再生とホイルの後ろのステージでの公演を同時に行うことが可能なステージ形態となるようにするという効果がある。
【００５０】
本発明は、ホイルフレームの上端に連結される駆動ワイヤーと、天井に設置され、前記駆動ワイヤーを巻き取ったり繰り出したりすることが可能な駆動モーターを含む駆動部を含むことにより、ホイル部の移動が容易に行われるようにするという効果がある。
【００５１】
本発明は、支持フレームの一地点に左右方向に設けられて駆動ワイヤーの回動を制限する回動制限部材を含むガイド部を含むことにより、ホイルフレームがガイドレールに沿って下方に移動して傾いた状態で底面に装着される過程で、駆動ワイヤーが前方側に外れて支持フレームなどの他の構造物とぶつかることを防止するという効果がある。
【００５２】
本発明は、底面に設けられ、映写部から放出されるホログラム映像をホイル部に反射する反射部材と、反射部材を回転させて巻き取れるようにする反射部材ローリング装置とを含む反射部を含むことにより、反射部材がステージでの公演に影響を与えないようにし、ホログラム再生部を使用しない場合には反射部材との接触なしにステージを前方に移動させることができるようにして広いステージを確保することができるようにするという効果がある。
【００５３】
本発明は、ステージの後方に設けられる後方スクリーンと、ステージの前方に設けられる前方スクリーンとを含み、前方スクリーンおよび後方スクリーンは上下に移動できるようにし、後方スクリーンはホログラム再生部の使用の際にステージに降りてくるようにして、ホログラムの再生とステージでの公演を同時に行えるようにするという効果がある。
【００５４】
本発明は、一般映像の上映の際に下方に降りてくるようにする前方スクリーンを含み、劇場や映像講義などを上映することができるようにすることにより、多目的に使用できるようにして収益を極大化することができるようにするという効果がある。
【図面の簡単な説明】
【００５５】
【図１】従来の３次元映像を利用した公演システムの構成図である。
【図２】本発明の一実施形態に係る劇場システムの構成図である。
【図３】本発明の一実施形態に係る劇場システムの平面図である。
【図４】図２のホイル部を正面から見た参考図である。
【図５】図２のホイル部の張力調節手段を示す斜視図である。
【図６】図２のホイル移動部の構成を示す断面図である。
【図７】図２の反射部の構成を示す断面図である。
【図８】図２の反射部の平面図である。
【図９】図２の映写部の構成を示す断面図である。
【図１０】図２の映写部の後面図である。
【図１１】図２のステージの正面図である。
【図１２】図２のステージの側面図である。
【図１３】図１１の下部支持部および駆動部の平面図である。
【図１４】本発明の一実施形態に係る劇場システムの他の使用例を示す参考図である。
【発明を実施するための形態】
【００５６】
以下に添付図面を参照しながら、本発明に係るホログラム再生が可能な劇場システムの好適な実施形態を詳細に説明する。本発明を説明するにあたり、公知の機能または構成に関する具体的な説明が本発明の要旨を無駄に曖昧にするおそれがあると判断される場合にはその詳細な説明を省略する。明細書全体において、ある部分がある構成要素を「含む」とするとき、これは、特別に反対される記載がない限り、他の構成要素を除外するのではなく、他の構成要素をさらに含むことができることを意味する。
【００５７】
本発明の一実施形態に係るホログラム再生が可能な劇場システムを図２〜図１４を参照して説明すると、前記劇場システムは、ホログラム映像を再生することが可能なホログラム再生部１と、コンサートやミュージカルなどの公演が可能なステージ３と、前記ステージ３の前、後方に上下移動可能に設置される前方スクリーン５および後方スクリーン７を含む。前記劇場システムは、ホログラム映像を利用したコンサートやミュージカルなどの公演、およびホログラム映像を利用しない一般コンサートやミュージカルなどの公演を両方とも行うことができ、前記前方スクリーン５を用いて映画、映像講義などの上映も行うことができるようにする。また、後述する上下移動が可能なホイル部１１、巻き取れる反射部１５、前後移動が可能なステージ３、上下移動が可能な前方スクリーン５および後方スクリーン７を介して手軽にステージの形態を変えることができるようにし、システムの維持および管理を容易にする。参考として説明の便宜のために、図２のｂ方向をステージの前方とし、図２のａ方向をステージの後方とし、ｃ方向を上方、ｄ方向を下方とする。
【００５８】
前記ホログラム再生部１は、観客にホログラム映像を提供する構成であって、ホログラム映像を放出する映写部１７と、前記映写部１７から放出されるホログラム映像を上方に反射する反射部１５と、前記反射部１５から反射されるホログラム映像をステージの前方に反射するホイル部１１とを含み、前記ホイル部１１を上下に移動させるホイル移動部１３をさらに含むことにより、前記ホログラム再生部１を使用しない場合には前記ホイル部１１を容易に上方に移動させることができるようにする。前記ホログラム再生部１は、前記映写部１７から放出されるホログラム映像が、底面Ｂに設置される反射部１５によって上方に反射されるようにし、前記反射部１５によって反射されるホログラム映像が、前記底Ｂから前方に一定の角度で傾くように設けられる前記ホイル部１１の後述するホイル１１１に反射されるようにして、観客にホログラム映像を提供する。また、後述するホイル１１１は、一部の光は反射し、残りの一部の光は屈折、透過させる光学的性質を持つため、前記ホイル１１１を通過した光は後方の後方スクリーン７を向かうようになり、前記ホイル１１１と後方スクリーン７との間に形成される背景や俳優たちの公演と相俟ってリアル感のある立体映像を提供することができる。前記ホイル１１１の光学的特性を利用したホログラム映像の提供は既に公知になった技術であるため、これに関する詳細な説明は省略する。また、前記ホログラム再生部１は、ホログラム映像を利用しない一般ミュージカルやコンサートなどの公演の場合、前記ホイル移動部１３を用いて簡単にステージ３上で見えないようにし、前記ステージ３を移動させて広いステージ空間を確保するようにすることにより、ステージ形態の転用が簡単に行われるようにする。したがって、管理が難しい後述のホイル１１１や反射部材１５１などの損傷を最小化して円滑なホログラム映像の再生を可能にし、管理および維持を容易にする。
【００５９】
前記ホイル部１１は、前記反射部１５から反射されるホログラム映像を再び反射して観客が見られるようにする構成であって、前記反射部１５から反射されるホログラム映像をステージ３の前方に反射するホイル１１１と、前記ホイル１１１の外周を囲むように設けられ、前記ホイル１１１を張り詰めた状態に支持するホイルフレーム１１３とを含むことにより、前記ホイル１１１が常に張り詰めた状態を維持することができるようにし、前記ホイル１１１とホイルフレーム１１３との間に設置され、前記ホイル１１１を引っ張ることが可能な張力調節手段１１５を含むことができる。これに関する詳細な説明は後述する。
【００６０】
また、前記ホイル部１１は、底面から上方に行くほどステージの前方に一定の角度で傾くように設けられ、前記ホイル１１１に反射されたホログラム映像がステージの前方の観客を向かうようにすることが好ましく、前記ホイル部１１が底面Ｂとなす角度は、後述するプロジェクター１７１の位置や客席の位置などを考慮して、ホログラム映像を観客がよく見られるように設定されるが、略４５°の角度をなすようにすることが好ましい。また、前記ホイル部１１は、前記ホイル移動部１３によって上下に移動して、前記ホログラム再生部１を使用しない場合には、客席からは見えない上方に移動して前記ステージ３上でミュージカルやコンサートなどの一般公演が行われるようにする。
【００６１】
前記ホイル１１１は、前記反射部１５から反射されるホログラム映像をステージ３の前方に反射する構成であって、一定の厚さを有する透明フィルムが適用されることが好ましく、前述したように、一部の光は反射し、残りの一部の光は屈折して透過するようにする光学的特性を持つ。したがって、前記ホイル１１１に投影されるホログラム映像と一緒に前記ホイル１１１と後方スクリーン７との間の俳優や背景などと相俟って幻想的でリアル感のある立体映像を提供することができるようになる。前記ホイル１１１による光の反射によってホログラム映像が観客に提供されるため、前記ホイル１１１は常に張り詰めた状態を維持しなければならず、異物がくっ付いたりキズが発生したりしてはならない。よって、前記ホイル１１１を巻き取ったり折り畳んだりして保管するか或いは取り付けと取り外しを繰り返す場合、異物およびキズが発生しやすく、何よりも前記ホイル１１１の引張力が低下するから、張り詰めた状態を維持することができなくなる。したがって、本発明では、前記ホイル１１１を前記ホイルフレーム１１３に固定させて、常に張り詰めた状態で移動するようにし、前記ホイル１１１とホイルフレーム１１３との間に張力調節手段１１５を設けて、長年の使用や外部環境により前記ホイル１１１自体の引張力が減少する場合でも前記張力調節手段１１５によって前記ホイル１１１を引っ張ることができるようにすることにより、どの環境でも前記ホイル１１１が常に張り詰めた状態を維持することができるようにする。
【００６２】
前記ホイルフレーム１１３は、図４に示すように、前記ホイル１１１を囲むように設けられ、前記ホイル１１１が移動中にも常に張り詰めた状態を維持することができるようにし、トラス構造物として形成されることが好ましい。前記ホイル１１１は、前記ホイルフレーム１１３に固定され、ぴんと張り詰めた状態を維持し、前記ホイルフレーム１１３は、前記ホイル移動部１３によって上下に移動して、ホログラム映像を利用しない一般公演を行う場合でも前記ホイルフレーム１１３を上方に上げるようにすることにより、前記ホイル１１１は何らの損傷も受けないようにする。また、前述したように、前記ホイル１１１とホイルフレーム１１３との間には前記張力調節手段１１５が設けられ、ホイル１１１がどの環境でも張り詰めた状態を維持することができるようにし、前記ホイルフレーム１１３は両側に突設されるガイドローラー１１３ａを含むことにより、後述するガイド部１３１に沿って移動できるようにする。
【００６３】
前記ガイドローラー１１３ａは、図４及び図６に示すように、前記ホイルフレーム１１３の下側部の両側に突設され、回転可能に設置されることが好ましい。前記ガイドローラー１１３ａは、後述する前記ガイド部１３１のガイドレール１３１ｂに挿入されて移動し、底面Ｂから前方に一定の角度で傾くように設けられるガイドレール１３１ｂに沿って移動することで、前記ホイル部１１が底面から前方に一定の角度で傾いた状態となるようにする。前記ホイル部１１が底面から前方に傾いた状態とならなければならない理由は、前述したとおりである。
【００６４】
前記張力調節手段１１５は、図４および図５に示すように、前記ホイル１１１とホイルフレーム１１３との間に設けられ、前記ホイル１１１が常に張り詰めた状態を維持することができるようにする構成であって、図５に示すように、前記ホイル１１１の上下側で前記ホイル１１１を固定する固定バー１１５ａと、前記固定バー１１５ａとホイルフレーム１１３とを連結する複数の連結ストラップ１１５ｂと、前記連結ストラップ１１５ｂ上に設けられ、前記連結ストラップ１１５ｂが前記固定バー１１５ａを引いた状態で固定されるようにするロック装置１１５ｃとを含む。
【００６５】
前記固定バー１１５ａは、内部空間に前記ホイル１１１が挿入され、この挿入されたホイル１１１を固定する。ホイルフレーム１１３側には連結ストラップ１１５ｂを連結することにより、前記固定バー１１５ａが前記ホイルフレーム１１３に固定されるようにする。また、前記固定バー１１５ａは、前記連結ストラップ１１５ｂによって引かれた状態で前記ロック装置１１５ｃによって固定されるようにして、前記ホイル１１１が張り詰めた状態を維持することができるようにする。
【００６６】
前記連結ストラップ１１５ｂは、前記固定バー１１５ａとホイルフレーム１１３とを連結する構成であって、図５に示すように二つの部分に分かれており、それらの一方の部分は前記ロック装置１１５ｃ内の歯車に巻かれるようにすることができる。したがって、前記連結ストラップ１１５ｂは、前記ロック装置１１５ｃ内の歯車に巻かれる程度に応じて前記ホイルフレーム１１３と前記固定バー１１５ａとの間隔を調節することにより、前記固定バー１１５ａを引くようにすることができる。
【００６７】
前記ロック装置１１５ｃは、一方向のみに回転する歯車（図示せず）を内部に含むラチェット（ｒａｔｃｈｅｔ）から構成できる。前述したように、前記連結ストラップ１１５ｂが前記ロック装置１１５ｃ内の歯車に巻かれた状態で固定され、前記連結ストラップ１１５ｂが前記固定バー１１５ａを引いた状態で固定されるようにし、長年の使用または環境によって前記ホイル１１１の張力が減少して弛む場合、前記連結ストラップ１１５ｂが前記ロック装置１１５ｃの歯車にさらに巻かれるようにすることにより、前記固定バー１１５ａを引いて前記ホイル１１１が再び張り詰めた状態を維持することができるようにする。前記ロック装置１１５ｃの内部の構成は、ラチェットストラップとして知られている一般的な構成なので、これについての詳細な説明は省略する。
【００６８】
前記ホイル移動部１３は、前記ホイル部１１が上下に移動できるようにする構成であって、前記ホログラム再生部１を用いてホログラム映像を再生しようとする場合、前記ホイル部１１を底面Ｂに下ろして前記ホイル１１１を介したホログラム映像の再生を可能とし、前記ホログラム再生部１を使用せずにミュージカル、コンサートなどの一般公演を行う場合、前記ホイル部１１を上方に上げてステージ３を前方に移動させることができるようにすることにより、広いステージ空間でミュージカル、コンサートなどの一般公演を行うことができるようにする。前記ホイル移動部１３は、前記ホイル部１１の移動をガイドするガイド部１３１と、前記ホイル部１１を移動させる駆動力を提供する駆動部１３３とを含む。
【００６９】
前記ガイド部１３１は、前記ホイル部１１の移動をガイドする構成であって、底面Ｂと天井Ｃに支持されて上下に設けられる一対の支持フレーム１３１ａと、前記支持フレーム１３１ａに固定され、前記ホイル部１１の移動経路に沿って設けられる一対のガイドレール１３１ｂとを含む。さらに、前記ガイド部１３１は、前記ガイドレール１３１ｂが図６に示すように底面Ｂから一定の角度で傾くように設けられる部分で前記ガイドレール１３１ｂを支える補強フレーム１３１ｃ、および前記支持フレーム１３１ａの下端部に左右方向に設けられる回動制限部材１３１ｄを含むことにより、前記駆動部１３３の後述する駆動ワイヤー１３３ａの回動が制限されるようにし、これに関する詳細な説明は後述する。
【００７０】
前記支持フレーム１３１ａは、図４に示すように、前記ホイルフレーム１１３の両側に上下方向に設けられ、底面Ｂと天井Ｃに支持されて固定される鉄筋などから形成され、その内側には前記ガイドレール１３１ｂが固定形成される。また、前記支持フレーム１３１ａの一地点には左右方向に回動制限部材１３１ｄが設けられ、前記ホイル部１１が前記ガイドレール１３１ｂに沿って下方に移動して底面から一定の角度で傾くとき、後述の駆動ワイヤー１３３が前記回動制限部材１３１ｄに係止されてそれ以上回転しないようにする。
【００７１】
前記ガイドレール１３１ｂは、前記支持フレーム１３１ａに固定されるように設けられ、図６に示すように前記ガイドローラー１１３ａが挿入されて移動できるようにする。よって、前記ホイル部１１が前記ガイド部１３１に沿って安定的に移動することができる。また、前記ホイル部１１は、底面から上方に行くほど前方に一定の角度で傾くように設けられなければならないので、前記ガイドレール１３１ｂも、図６に示すように、底面から上方に行くほど前方に一定の角度で傾くように設けられる。また、前記ガイドレール１３１ｂは、下方に設けられる補強フレーム１３１ｃによって支持され、前記ホイルフレーム１１３の移動にも変形や破損が発生することを最小化する。
【００７２】
前記補強フレーム１３１ｃは、図６に示すように、前記ガイドレール１３１ｂの下側部分、すなわち、底面から一定の角度で傾く部分の下側に設けられて前記ガイドレール１３１ｂを支持し、前記支持フレーム１３１ａに固定され、トラス構造を持つ。したがって、前述したように、前記ガイドレール１３１ｂが傾いた形態を持続的に維持することができるようにして、前記ホイル１１１を介した安定的なホログラム映像の再生を可能にする。
【００７３】
前記回動制限部材１３１ｄは、図４及び図６に示すように、前記支持フレーム１３１ａの一地点に左右方向に設けられる棒などの構成をいう。前記回動制限部材１３１ｄは、図６に示すようにホイルフレーム１１３のガイドローラー１１３ａが前記ガイドレール１３１ｂに沿って下方に降りてくる過程で、底面から一定の角度で傾いた部分に沿って降りてくるとき、前記ホイルフレーム１１３も＠方向に傾くが、このとき、前記ホイルフレーム１１３の上端に連結された後述の駆動ワイヤー１３３ａが前記回動制限部材１３１ｄに係止されてそれ以上回動しないようにすることにより、前記駆動ワイヤー１３３ａが他の構造物にぶつかって損傷することを防止することができるようにする。前記駆動ワイヤー１３３ａは、前記ホイルフレーム１１３を上げたり下げたりする構成であって、駆動ワイヤー１３３ａが損傷する場合、正常的に前記ホイルフレーム１１３を上下に移動させることができないか或いは前記駆動ワイヤー１３３ａが切れて大事故が発生することがあるので、前記回動制限部材１３１ｄによる前記駆動ワイヤー１３３ａの回動制限は不可欠であるといえる。
【００７４】
前記駆動部１３３は、前記ホイル部１１が前記ガイド部１３１に沿って上下に移動できるようにする駆動力を提供する構成であって、前記ホログラム再生部１の使用の際には、前記ホイル部１１を下方に下ろして、底面に密着して一定の角度で傾いた状態となるようにし、前記ホログラム再生部１の未使用の際には、前記ホイル部１１を上方に上げてステージ３を前方に移動させて広くし、ミュージカルやコンサートなどの一般公演を行えるようにする。したがって、別途の装置または作業を行うことなく、電動で前記駆動部１３３を作動させて容易にステージ３の形態を変更することができる。前記駆動部１３３は、図６に示すように、前記ホイルフレーム１１３の上端に連結される駆動ワイヤー１３３ａと、天井Ｃに設置され、前記駆動ワイヤー１３３ａを巻き取ったり繰り出したりする駆動モーター１３３ｂとを含む。
【００７５】
前記駆動ワイヤー１３３ａは、一側が前記ホイルフレーム１１３の両側の上端にそれぞれ連結されて前記ホイルフレーム１１３を持ち上げたり下げたりすることができるようにし、他側は前記駆動モーター１３３ｂに連結されて駆動力の伝達を受ける。前記駆動ワイヤー１３３ａは、前記ホイル部１１の重量を支えながら安定的にホイル部１１を上下に移動させなければならないので、一定の強度以上の鋼線などが適用できるが、必ずしもこれに限定されるのではない。また、前記駆動ワイヤー１３３ａは、前述したように、前記回動制限部材１３１ｄに係止されて回動が制限されることにより、他の構造物にぶつかって損傷することが防止される。
【００７６】
前記駆動モーター１３３ｂは、前記駆動ワイヤー１３３ａに連結されて前記駆動ワイヤー１３３ａを巻き取ったり繰り出したりすることができるようにする構成であって、天井Ｃの上部に設置され、無線または有線で作動するようにすることができ、前述したように、前記ホログラム再生部１を使用する場合には前記ホイルフレーム１１３を下方に下ろすようにし、前記ホログラム再生部１を使用しない場合には前記ホイルフレーム１１３を上方に持ち上げるようにする。前記駆動モーター１３３ｂは、前記ホイルフレーム１１３の両側の上端に連結されるそれぞれの駆動ワイヤー１３３ａに一つずつ設けられるようにすることもできる。ところが、前記ホイルフレーム１１３の安定的な上下移動のために、図４に示すように、天井Ｃの中心部に一つのみ設置され、両側の駆動ワイヤー１３３ａが一つの駆動モーター１３３ｂに連結されるようにすることが好ましい。
【００７７】
前記反射部１５は、底面Ｂに設けられ、前記映写部１７から放出されるホログラム映像を前記ホイル１１１に反射する構成であって、前記映写部１７の後述するプロジェクター１７１から放出されるホログラム映像を前記ホイル１１１に反射する反射部材１５１と、前記反射部材１５１を回転させて巻き取れるようにする反射部材ローリング装置１５３とを含み、前記反射部材ローリング装置１５３の回転力が伝達されるようにする多数の連結ギア１５５をさらに含むことができる。
【００７８】
前記反射部材１５１は、図７に示すように、底面Ｂに密着するように設けられ、後述するプロジェクター１７１から放出されるホログラム映像を前記ホイル１１１に反射されるようにし、白いスクリーン、コートされた反射スクリーンなどから構成できる。但し、これに限定されず、ホログラム映像を反射することができる多様な素材が適用できる。また、前記反射部材１５１は、前記反射部材ローリング装置１５３によって巻き取れるように設けられる。前記反射部材１５１は、前記劇場システムの前方側に設けられる回転棒１５１ａに巻き取られるようにして底面Ｂから除去し、図７に示すように、前記反射部材１５１が除去された空間に前記ステージ３が前進移動して、コンサートやミュージカルなどが公演できる十分な空間を確保することができるようにする。したがって、前記反射部材ローリング装置１５３を作動させて反射部材１５１を底面Ｂから除去し、前記ステージ３も後述の駆動モーター３５１によって前方に移動させることにより、簡単にステージ形態の変更が可能となる。
【００７９】
前記反射部材ローリング装置１５３は、前記反射部材１５１、正確には前記回転棒１５１ａを回転させて前記反射部材１５１を巻き取れるようにする構成であって、回転力を発生させることが可能な一般モーターが適用できる。また、前記反射部材ローリング装置１５３は、図７および図８に示すように、前方と後方に一つずつ設けられるようにして反射部材１５１の回転がスムーズに行われるようにすることができ、後方に設けられる反射部材ローリング装置１５３には多数の連結ギア１５５がチェーンまたはベルトなどによって連結され、前記反射部材ローリング装置１５３の回転力が前記反射部材１５１に均一に伝達されるようにすることができる。よって、前記反射部材１５１が損傷することなく安定的に前記回転棒１５１ａに巻き取られるようになる。
【００８０】
前記映写部１７は、ホログラム映像を放出する構成であって、図９および図１０に示すように、ホログラム映像を放出するプロジェクター１７１と、前記プロジェクター１７１が設置されるプロジェクターフレーム１７３とを含む。前記映写部１７は、前記ホイル部１１の前方に設けられ、前記プロジェクター１７１から放出された映像が前記反射部材１５１によって反射されて前記ホイル１１１に向かうようにする。
【００８１】
前記プロジェクター１７１は、ホログラム映像を放出する構成であって、前記プロジェクターフレーム１７３に複数設けられるようにすることができ、これにより、ホログラム映像を利用した様々な立体効果を作り出すことができる。前記プロジェクター１７１は、前記プロジェクターフレーム１７３の後述する据置フレーム１７３ｂに据え置かれ、ホログラム映像を放出することが可能な公知の構成なので、これに関する詳細な説明は省略する。
【００８２】
前記プロジェクターフレーム１７３は、前記プロジェクター１７１が据え置かれるように設けられる構成であって、底面Ｂから前方に一定の角度で傾くように設けられる前記ホイル１１１に、前記反射部材１５１によって反射されるホログラム映像が映されるように、前記ホイルフレーム１１３の前方に設けられることが好ましい。しかし、これに限定されず、前記プロジェクターフレーム１７３は、前記ホイル１１１にホログラム映像が反射されて観客が見られる様々な位置に設けられるようにすることができる。前記プロジェクターフレーム１７３は、図１０に示すように、両側に底面Ｂから垂直に設けられる一対の垂直フレーム１７３ａと、前記垂直フレーム１７３ａ同士の間に設けられ、前記プロジェクター１７１が据え置かれる据置フレーム１７３ｂとを含む。また、前記プロジェクターフレーム１７３には、前記後方スクリーン７に向かって照射するその他のカメラ１７１ａや照明などがさらに設置されてもよい。
【００８３】
前記ステージ３は、コンサートやミュージカルなどの公演の際に歌手や俳優が上がって公演をしたり、追加の背景が設置されたりする構成である。前記ホログラム再生部１によるホログラム映像の再生が必要な場合には、図２に示すように、前記ステージ３は後方に押し付けられ、その位置には反射部材１５１が設けられ、前記ホイル部１１は底面Ｂに下りてきてホログラム映像を再生することができるようにする。また、前記ホログラム再生部１を使用しない場合には、前記反射部材１５１が図７に示すように前記反射部材ローリング装置１５３によって巻き取られて前記回転棒１５１ａに巻回されることにより底面Ｂから除去され、その位置に前記ステージ３が前進して広いステージ空間を持つようになる。したがって、コンサートやミュージカルなどの一般公演を広げることが可能な広いステージが設けられる。また、前記ステージ３上には前記後方スクリーン７が設けられて光が反射されるようにすることにより、ホログラム映像の再生と共にホログラム映像と相俟って俳優たちの公演、その他の背景が見られるようにして、幻想的でリアル感のある公演が繰り広げられるようにする。前記ステージ３は、図１１〜図１３に示すように、俳優たちが上がることが可能な上板部３１と、前記上板部３１を支持する下部支持部３３と、前記ステージ３を前後に移動させる駆動部３５とを含む。
【００８４】
前記上板部３１は、前記ステージ３の上面を形成する構成であって、広い板が設けられ、俳優たちが上がって公演をしたり背景を設置したりすることができるようにするとともに、その内部にはトラス構造が形成され、俳優、背景などを安定的に支持することができるようにする。
【００８５】
前記下部支持部３３は、前記上板部３１の下側に設けられて前記上板部３１を支持し、前記ステージ３の移動を可能にする構成であって、前後方向に複数設けられる下部支持フレーム３３１と、前記複数の下部支持フレーム３３１のそれぞれを連結する複数の連結フレーム３３３とを含む。
【００８６】
前記下部支持フレーム３３１は、図１３に示すように、前記上板部３１の下側に一定の間隔で複数設けられ、前記上板部３１を安定的に支持することができるようにする。また、前記下部支持フレーム３３１の下方には足車３３１ａが設けられることにより、前記ステージ３の移動を可能にする。
【００８７】
前記足車３３１ａは、前記下部支持フレーム３３１の下方に複数設けられ、前記ステージ３が安定的に支持されながら移動できるようにする。また、互いに異なる下部支持フレーム３３１に対向して設けられる足車３３１ａの一部は、互いに軸が連結されるように設けられ、前記駆動部３５の後述する駆動モーター３５１による駆動力の伝達を受けるようにする。
【００８８】
前記連結フレーム３３３は、前後方向に設けられる前記複数の下部支持フレーム３３１同士を連結する構成であって、その内部には前記足車３３１ａの間を連結する駆動軸３５７が設けられてもよい。
【００８９】
前記駆動部３５は、前記ステージ３を移動させることが可能な駆動力を提供する構成であって、前記上板部３１の下方に設けられて駆動力を発生させる駆動モーター３５１と、前記駆動モーター３５１の駆動力を足車３３１ａに伝達されるようにするチェーン３５３と、ギア３５５などとから構成でき、それぞれ異なる下部支持フレーム３３１に設けられて対向する足車３３１ａは駆動軸３５７によって駆動力が伝達されるようにする。前記駆動モーター３５１は、図１３に示すように、前記ステージ３の中心側に設けられ得るが、底面Ｂから一定の高さだけ離れるように設けられて前記ステージ３の移動に支障がないようにすることが好ましい。前記駆動モーター３５１によって発生した駆動力は、チェーン３５３、ギア３５５、特にかさ歯車（ｂｅｖｅｌ ｇｅａｒ）などにより駆動力が伝達されて前記足車３３１ａが回転できるようにし、前述したように前記足車３３１ａ同士の間には駆動軸３５７によって駆動力が伝達されるようにして、一緒に回転できるようにする。
【００９０】
前記前方スクリーン５は、前記ホイル部１１の前方に上下移動可能に設けられ、前記劇場システムを映画、映像講義などの上映のために使用する場合、図１４に示すように、下側に下ろすことができるようにする。したがって、前記前方スクリーン５に映像を放出して、映画や映像講義などを観客が見られるようにすることにより、劇場システムの様々な使用が可能となる。前記前方スクリーン５は、天井Ｃのワイヤーなどに吊り下げることができ、電動装置によって上下に移動できるようにする。
【００９１】
前記後方スクリーン７は、図２に示すように、前記ステージ３の後方に設けられ、前記ホイル１１１を通過した光が照られるようにする。したがって、観客は、前記ホイル１１１を介して反射されるホログラム映像と、前記ホイル１１１と後方スクリーン７との間に位置する俳優および背景を一緒に見ることができるとともに、ホログラム映像と実際の俳優、背景が相俟って幻想的でリアル感のある公演を見ることができる。前記後方スクリーン７も上下移動可能に設けられるが、前記ホログラム再生部１を使用せずに一般コンサートやミュージカルなどの公演を行う場合には、前記後方スクリーン７を上方に上げるようにすることにより、広いステージ３を使用することができるようにする。前記後方スクリーン７は、前記前方スクリーン５と同様に天井Ｃのワイヤーなどに連結でき、電動装置によって上下に移動できるようにする。
【００９２】
以上、出願人は本発明の様々な実施形態を説明したが、これらの実施形態は本発明の技術的思想を実現する一実施形態に過ぎず、本発明の技術的思想を実現する限り、いかなる変更例または修正例も本発明の範囲に属すると解釈されるべきである。
【符号の説明】
【００９３】
１  ホログラム再生部
１１  ホイル部
１１１  ホイル
１１３  ホイルフレーム
１１３ａ  ガイドローラー
１１５  張力調節手段
１１５ａ  固定バー
１１５ｂ  連結ストラップ
１１５ｃ  ロック装置
１３  ホイル移動部
１３１  ガイド部
１３１ａ  支持フレーム
１３１ｂ  ガイドレール
１３１ｃ  補強フレーム
１３１ｄ  回動制限部材
１３３  駆動部
１３３ａ  駆動ワイヤー
１３３ｂ  駆動モーター
１５  反射部
１５１  反射部材
１５１ａ  回転棒
１５３  反射部材ローリング装置
１５５  連結ギア
１７  映写部
１７１  プロジェクター
１７３  プロジェクターフレーム
１７３ａ  垂直フレーム
１７３ｂ  据置フレーム
３  ステージ
３１  上板部
３３  下部支持部
３３１  下部支持フレーム
３３１ａ  足車
３３３  連結フレーム
３５  駆動部
３５１  駆動モーター
３５３  チェーン
３５５  ギア
３５７  駆動軸
５  前方スクリーン
７  後方スクリーン
【図１】
0006267364.tif 000002
【図２】
0006267364.tif 000003
【図３】
0006267364.tif 000004
【図４】
0006267364.tif 000005
【図５】
0006267364.tif 000006
【図６】
0006267364.tif 000007
【図７】
0006267364.tif 000008
【図８】
0006267364.tif 000009
【図９】
0006267364.tif 000010
【図１０】
0006267364.tif 000011
【図１１】
0006267364.tif 000012
【図１２】
0006267364.tif 000013
【図１３】
0006267364.tif 000014
【図１４】
0006267364.tif 000015